(57)【要約】【課題】強拍のタイミングをアナログ量として視覚的に容易に認識できる電子式メトロノームの提供。【解決手段】表示方法として時計の文字盤に似たパターンを用いることで、設定された一連の拍子の中で、次にくるカウントの頭となる強拍のタイミングをアナログ量として視覚的に容易に認識できることを特徴とする電子メトロノームである。【選択図】    図１
2004347522.tif 000002
【特許請求の範囲】
【請求項１】
拍子設定入力部と、
複数の扇状のパターンから構成される円状のタイミング表示部と、
入力された設定に基づき信号を出力する制御部と、
制御回路からの信号を出力するスピーカ部を有する電子メトロノームにおいて、
拍子のカウントを図式化されたパターンでアナログ量として表示することを特徴とする電子メトロノーム。
【請求項２】
複数の扇状のパターンから構成される円状のタイミング表示部の点灯、及び消灯のパターンをきりかえることが可能な請求項１に記載の電子メトロノーム。
【請求項３】
複数の扇状のパターンから構成される円状のタイミング表示部に、拍子のカウントを図式化されたパターンで表示することを特徴とする電子式メトロノームの表示方法。
【発明の詳細な説明】
【０００１】
【発明の属する技術分野】
この発明は、電子メトロノームに関する。
【０００２】
【従来の技術】
従来のメトロノームでは、拍子設定における強拍と弱拍の表現として、音色を変えたり、拍子数をカウントダウンしたりする方式が主流である。また、テンポを円状のＬＥＤで表示するものがある（例えば、特許文献１参照）。
【０００３】
【特許文献１】
特開２００３−１１４６７６公報（要約、第１図）
【０００４】
【発明が解決しようとする課題】
拍子を表現するメトロノームとしては、強拍のタイミングで点灯するＬＥＤの色が変わったり、スピーカからの音色が変わったりするものがあるが、一連の拍子の流れの中でカウントの頭となる強拍のタイミングを知るには、ユーザーが拍子をカウントするか、機能として実現されているメトロノームであれば、自動的にカウントダウンされるデジタル表示などを見るしかない。そのためにユーザーは拍子のカウントと楽器演奏との２つの動作を並列に処理しなければならず、集中力が低下し、カウントを間違えてしまう、演奏を間違えてしまうなどのミスをおかしがちであった。
【０００５】
【課題を解決するための手段】
従来のこのような課題を解決するため、本発明は、表示方法として時計の文字盤に似たパターンを用いることで、設定された一連の拍子の中で、次にくるカウントの頭となる強拍のタイミングをアナログ量として視覚的に容易に認識できることを特徴とする電子メトロノームである。
【０００６】
上記課題を解決するために本発明は、拍子設定入力部と、複数の扇状のパターンから構成される円状のタイミング表示部と、入力された設定に基づき信号を出力する制御部と、制御回路からの信号を出力するスピーカ部を有し、拍子のカウントを図式化されたパターンでアナログ量として表示するものである。これにより、楽器の演奏とビートのカウントダウンの２つの動作を並列に処理するよりも、簡単に拍子の数を認識できる。これは拍子をデジタルの数字としてとらえるのではなく、絵の一部として認識することができるため、まだ音楽的な知識に乏しい幼児の教育にも有効である。
【０００７】
【発明の実施の形態】
以下に本発明の構成、動作について詳細に説明する。
【０００８】
図１に本発明の電子メトロノームのブロック図を示し、接続と動作を説明する。
【０００９】
拍子設定入力部１は拍子を選択するなどのユーザーからの操作を入力する部分で、入力された設定値は制御部２に送られる。制御部２では拍子設定値に応じて信号を成型し、その信号はスピーカ部４とタイミング表示部３に送られ、スピーカ部４で発音、タイミング表示部３で表示される。表示部３はＬＣＤ表示装置やＬＥＤ表示装置などによって構成される。
【００１０】
次に、図２に示す電子メトロノームで実施例として説明する。
【００１１】
この電子メトロノームでは、拍子を入力設定することが可能であり、設定ダイヤル５はつまみを左方向にひとつずつスライドさせると拍子１まで拍子設定がマイナス１される。右方向にひとつずつスライドさせると拍子６まで拍子設定がプラス１される。
【００１２】
例えば設定ダイヤル５を拍子４に設定すると、制御部２では拍子はビート１→ビート２→ビート３→ビート４が１サイクルとなり、ビート１でカウントの頭となる強拍、ビート２，３，４で弱拍をテンポに応じたタイミングで信号としてスピーカ６に出力し音が発せられる。同時に拍子表示セグメント８にビート１の表示として「１」が表示され、複数の扇状のパターンから構成される円状のセグメントでは、アナログ時計の指針表示で言うところの１２時から３時までの４５度の扇型の拍子４セグメント表示１２が点灯する。
【００１３】
図３に、セグメントに表示される扇形パターンを示す。ビート２の表示としては拍子表示セグメント８にビート２の表示として「２」が表示され、円状のセグメントに３時から６時までの扇型セグメントの４５度が点灯する。ビート３の表示としては拍子表示セグメント８にビート３の表示として「３」が表示され、円状のセグメントに６時から９時までの４５度の扇型セグメントが点灯する。ビート４の表示としては拍子表示セグメント８にビート４の表示として「４」が表示され、円状のセグメントに９時から１２時までの４５度の扇型セグメントが点灯する。このように拍子の１サイクルを３６０度の円の面積であるアナログ量に置き換えて、４５度の扇パターン４つで拍子のカウントを表示する。
【００１４】
同様に設定ダイヤル５を拍子５に設定すると、拍子５セグメント表示１３が前述の拍子４の場合と同じように順次円を描くように点灯して拍子をアナログ量で示す。設定された拍子が２の時には０度から１８０度までの半円の拍子２セグメント表示１０が円の中心を軸として１８０度づつ回転するように表示され、設定された拍子が３の時には０度から１２０度までの扇型の拍子３セグメント表示１１が円の中心を軸として１２０度づつ回転するように表示され、設定された拍子が５の時には０度から７２度までの扇型の拍子２セグメント表示１３が円の中心を軸として７２度づつ回転するように表示される。
【００１５】
また、セグメントの点灯パターンを変更できるスイッチを儲けることによって、拍子４の場合は点灯パターン１４、点灯パターン１５、点灯パターン１６のなかから認識しやすい点灯パターンをユーザーが選択できる機能を備えることもできる。１つの扇型表示の拍子４セグメント表示１２が円の中心を軸として回転したように点灯させたり、または白地の円を拍子４セグメント表示１２が順次塗りつぶして行くように点灯させたり、逆に黒地の円をクリアにしていくように点灯処理を行い、ユーザーに絵として一番認識しやすい表示パターンを選択できるようにできる。
【００１６】
このように拍子の表示を数字のカウントだけでなく、アナログ時計を模した円状のアナログ量として複数の扇状のパターンによって拍子を視覚的に示すことにより、デジタル的な数字のカウントとして拍子をカウントすること無しに、幼児でも容易に拍子という流れを追うことが可能となる。
【００１７】
上記において設定ダイヤルは平行に移動するつまみで構成したが、これに限るものではなく、ダイヤルやプッシュボタン等で実現しても良い。また、円状のセグメントとしたが、これに限るものではなく、認識しやすい形状であれば多角形状などでも良い。
【００１８】
【発明の効果】
この発明は以上説明したように、電子メトロノームの拍子のタイミングを、アナログ時計に似た図計でアナログ量として表示することにより、拍子におけるカウントの頭となる強拍のタイミングや１サイクルの拍の進行を視覚によって直感的に理解することができる。
【図面の簡単な説明】
【図１】本発明で実施した電子メトロノームのブロック図である。
【図２】本発明を用いた電子メトロノームの実施例の斜視図である。
【図３】セグメントに表示される扇状パターン例である。
【図４】セグメントに表示される扇状パターンの点滅例である。
【符号の説明】
・  設定入力部
・  制御部
・  表示部
・  スピーカ部
・  拍子設定スイッチ
・  スピーカ
・  扇形ＬＣＤセグメント
・  拍子表示セグメント
・  拍子０，１セグメント表示
・  拍子２セグメント表示
・  拍子３セグメント表示
・  拍子４セグメント表示
・  拍子５セグメント表示
・  点灯パターン１
・  点灯パターン２
・  点灯パターン３
【図１】
2004347522.tif 000003
【図２】
2004347522.tif 000004
【図３】
2004347522.tif 000005
【図４】
2004347522.tif 000006